(57)【要約】      （修正有）【課題】電気抵抗電流制限起動コンデンサー電力供給式蛍光灯電子安定器を提供する。【解決手段】電源と灯管６、高周波オシレーター発生回路５間にコンデンサーを設置し隔離し、該コンデンサー上には電気抵抗を並列し、起動時には電気抵抗を通して電流制限しつつ起動し、高周波電圧の発生時に初めてコンデンサーを導通し、蛍光灯管に電源を供給することを特徴とする電気抵抗電流制限起動コンデンサー電力供給式蛍光灯電子安定器。【選択図】図１
0003123992.tif 000002
【実用新案登録請求の範囲】
【請求項１】
電源と灯管、オシレーター回路間にコンデンサーを設置し隔離し、該コンデンサー上には電気抵抗を並列し、起動時には電気抵抗を通して電流制限しつつ起動し、高周波電圧の発生時に初めてコンデンサーを導通し、蛍光灯管に電源を供給することを特徴とする電気抵抗電流制限起動コンデンサー電力供給式蛍光灯電子安定器。
【請求項２】
前記高周波電圧発生回路のトランジスターは他のオシレーター部品を採用し触発することもできることを特徴とする請求項１記載の電気抵抗電流制限起動コンデンサー電力供給式蛍光灯電子安定器。
【考案の詳細な説明】
【技術分野】
【０００１】
本考案は一種の電気抵抗電流制限起動コンデンサー電力供給式蛍光灯電子安定器に関する。特に一種の電子安定器は起動時に高抵抗値の電気抵抗により電流を制限し、充電点灯し、大量の電流が瞬間的に流れ灯管が損壊することを防止し、蛍光灯管の寿命を延長し、しかも電源と蛍光灯電源間はコンデンサーにより隔離され、高周波電圧の発生時に初めてコンデンサーを導通、電力供給させることができ、高周波電圧の発生もまた蛍光灯オシレーターコイルによりパワー管発生を触発し、すなわち電流制限の起動後、もし蛍光灯オシレーター回路が異常であるなら、通電することはなく、正常に通電するなら、その電源はコンデンサーにより隔離され、高周波電流だけが通過し、電流制限を呈し、オシレーターパワー管はショートし損壊することはなく、高い安全性、高い信頼性を具えた電気抵抗電流制限起動コンデンサー電力供給式蛍光灯電子安定器に係る。
【背景技術】
【０００２】
公知の電子式安定器通電起動は瞬間的に大量の電流が発生し灯管の損害を招き、灯管の寿命を短くしてしまう可能性があり、しかも多数を同時に起動することはできない。多数を同時に起動したなら、瞬間的に大量の電流が流れ、ブレーカーが落ち、或いはショートし損壊する。しかも電源と蛍光灯電源は相互に通じるため、電流は制限されず、周囲の温度と湿度が高すぎれば、高周波電位は偏移してしまい、灯管内の抵抗ステップは変化し、オシレーターパワー管をショートさせ損壊させてしまう。これでは使用者は電子式安定器の安全性及び耐用性を信用することはできない。
【特許文献１】特開２００１−１５５８８９号公報
【考案の開示】
【考案が解決しようとする課題】
【０００３】
公知構造には以下の欠点があった。
すなわち、公知構造は起動時に瞬間的に大量の電流が発生し灯管の損害を招き、灯管の寿命を短くしてしまう可能性があり、しかも多数を同時に起動することはできず、しかも電源と蛍光灯電源は相互に通じるため電流は制限されず、周囲の温度と湿度が高すぎれば高周波電位は偏移してしまい、オシレーターパワー管をショートさせ損壊させてしまう。
本考案は上記構造の問題点を解決した電気抵抗電流制限起動コンデンサー電力供給式蛍光灯電子安定器を提供するものである。
【課題を解決するための手段】
【０００４】
上記課題を解決するため、本考案は、下記の特徴を有する電気抵抗電流制限起動コンデンサー電力供給式蛍光灯電子安定器を提供する。
１．請求項１に記載の電気抵抗電流制限起動コンデンサー電力供給式蛍光灯電子安定器は、
電源と灯管、オシレーター回路間にコンデンサーを設置し隔離し、該コンデンサー上には電気抵抗を並列し、起動時には電気抵抗を通して電流制限しつつ起動し、高周波電圧の発生時に初めてコンデンサーを導通し、蛍光灯管に電源を供給することを特徴とする。
２．請求項２に記載の電気抵抗電流制限起動コンデンサー電力供給式蛍光灯電子安定器は、請求項１の場合において、前記高周波電圧発生回路のトランジスターは他のオシレーター部品を採用し触発することもできることを特徴とする。
【考案の効果】
【０００５】
上記のように、本考案は起動時に高抵抗値の電気抵抗により電流を制限するため、大量の電流が瞬間的に流れ灯管が損壊することを防止し、蛍光灯管の寿命を延長し、しかも電源と蛍光灯電源間はコンデンサーにより隔離され、高周波電圧の発生時に初めてコンデンサーを導通、電力供給させるため、電流制限の起動後、蛍光灯オシレーター回路が異常であるなら通電することはなく、正常に通電するなら電源はコンデンサーにより隔離され、高周波電流だけが通過し電流制限を呈し、オシレーターパワー管はショートし損壊することはないため、高い安全性、高い信頼性を具える。
【考案を実施するための最良の形態】
【０００６】
通電時、直流電力は電気抵抗Ｒ１によりコンデンサーＣ２、Ｃ３に対して電流制限充電を行い、この電圧はＲ４、Ｒ５を通して分圧され、コンデンサーＣ５を充電させる。該コンデンサーＣ５の電圧が触発ダイオードＤＩＡＣの臨界電圧（約３０Ｖ）まで充電される時、触発ダイオードＤＩＡＣを触発し導通する。トランジスターＴＲ３は高周波オシレーター回路５のオシレーションを発生し灯管６を点灯する。また、該高周波オシレーター回路５のオシレーターコイルＬ２は同時に高周波電圧回路２のトランジスターＴＲ１を触発し、これによりオシレーターコイルＬ１は高周波オシレーションを発生する。該高周波オシレーションの電圧は交流コンデンサーＣ１を導通させ、この時蛍光灯電源は交流コンデンサーＣ１の路線に換わり電力供給され、灯管６の発光状態を維持する。別に、他のオシレーター部品を採用し高周波電圧発生回路２のトランジスターＴＲ１を触発することもできる。  
【０００７】
上記のように、本考案は起動時、電流は高電気抵抗値の電気抵抗Ｒ１を通るため、起動の瞬間に大量の電流が流れることはなく、電流制限起動の效果を達成する。起動時には、高周波オシレーターコイルＬ２はオシレーションを発生し、同時にトランジスターＴＲ１を触発し、高周波オシレーターコイルＬ１をオシレーションさせ、  高周波電圧を発生させる。さらには交流コンデンサーＣ１を導通させ、電力供給をコンデンサーＣ１の路線に換え供給し、しかもその電流は高周波オシレーターコイルＬ１が発生する電流だけで、電流制限を呈し、オシレーターパワー管はショートし損壊する恐れがなくなり、本考案は高い安全性と信頼性を具える。
【０００８】
別に、高周波電圧発生回路２のオシレーターコイルＬ１は「自動フィードバックオシレーション」に属するため、パワー向上の機能を具え、パワー要素は９９％以上である。
また、本考案高周波電圧発生回路２のオシレーターコイルＬ１及び交流コンデンサーＣ１は電源と灯管電源を隔離し、高周波オシレーター回路５が発生する高調波は変形し電流は電源に入らず、電源への緩衝を防止することができる。よって、隔離していても同時に電源正弦の波頭は蛍光灯管フィラメントの波頭に対して０．８まで低下し（蛍光灯管フィラメント自身の波頭１．０より低い）、灯管の寿命を延長可能で、低高調波変形比、低電源、フィラメント、波頭比の効果を具える。
【図面の簡単な説明】
【０００９】
【図１】本考案回路の構造図である。
【符号の説明】
【００１０】
１  整流回路
２  高周波電圧発生回路
３  交流回路
４  点灯触発回路
５  高周波オシレーター発生回路
６  灯管
ＴＲ１、ＴＲ２、ＴＲ３  トランジスター
Ｌ１、Ｌ２  オシレーターコイル
Ｌ３  抑流コイル
ＤＩＡＣ  触発ダイオード
【図１】
0003123992.tif 000003